(57)【要約】      （修正有）【課題】マット冷却機構に１次利用した水道水を建築物冷却機構に２次利用することができる水道水を利用した冷却システムを提供する。【解決手段】マット２０内部に内装した水循環パイプ２１に水道水を通水して水温と気温との温度差を利用してマットを冷却するマット冷却機構を備えた水道水を利用した冷却システムであって、水循環パイプ２１内を循環する水道水の流量を調整する流量調整バルブ２２を備え、水循環パイプ２１内を循環した水道水を２次利用する配水パイプ１００に接続する。【選択図】図１
0003160642.tif 000002
【実用新案登録請求の範囲】
【請求項１】
マット内部に内装した水循環パイプに水道水を通水して水温と気温との温度差を利用してマットを冷却するマット冷却機構を備えた水道水を利用した冷却システムであって、前記水循環パイプ内を循環する水道水の流量を調整する流量調整バルブを備え、前記水循環パイプ内を循環した水道水を２次利用する配水パイプに供給することを特徴とする水道水を利用した冷却システム。
【請求項２】
マット内部に内装した水循環パイプに水道水を通水して水温と気温との温度差を利用してマットを冷却するマット冷却機構を備えた水道水を利用した冷却システムであって、前記水循環パイプと冷却用水道水の供給パイプ又は暖房用温水の供給パイプとの接続を切り替える切替スイッチＡと、前記水循環パイプ内を循環する水道水又は温水の流量を調整する流量調整バルブと、前記切替スイッチＡに連動して作動する連動スイッチとを備え、前記連動スイッチは、前記切替スイッチＡにより冷却用水道水の供給パイプに接続された時に前記水循環パイプ内を循環した水道水を２次利用する配水パイプに供給する、又は前記切替スイッチＡにより暖房用温水の供給パイプに接続された時に前記水循環パイプ内を循環した温水を温水暖房用熱源器に戻す配水パイプに排水することを特徴とする水道水を利用した冷却システム。
【請求項３】
前記マットは、ベッドマット・床マット等のマットレスタイプの他にソファー・椅子に使用できる座布団タイプのものが含まれることを特徴とする請求項１又は請求項２に記載の水道水を利用した冷却システム。
【請求項４】
前記水循環パイプ内を循環した水道水を２次利用する配水パイプは、水の気化熱を利用して建築物を冷却する建築物冷却機構に接続されることを特徴とする請求項１乃至請求項３のいずれか１項に記載の水道水を利用した冷却システム。
【請求項５】
前記水循環パイプ内を循環した水道水を夜間又は降雨の際には風呂又は洗濯に利用できるように配水パイプの接続を切り替えられる切替スイッチＢを備えたことを特徴とする請求項４に記載の水道水を利用した冷却システム。
【請求項６】
請求項５に記載の水道水を利用した冷却システムにおいて、風呂又は洗濯に利用した水を吸引して排出するポンプと切替スイッチＣとを備え、前記切替スイッチＣを経由して前記ポンプにより排出された水を前記建築物冷却機構に供給することを特徴とする水道水を利用した冷却システム。
【請求項７】
前記建築物冷却機構は、屋根又は屋上に設置される潅水ホース、スプリンクラーからなる散水装置であることを特徴とする請求項４乃至請求項６のいずれか１項に記載の水道水を利用した冷却システム。
【考案の詳細な説明】
【技術分野】
【０００１】
本考案は、水道水を利用した冷却システムに関し、詳しくはマット冷却機構に利用した水道水を建築物冷却機構に２次利用することができる冷却システムに関するものである。
【背景技術】
【０００２】
実開平７−３９６１６号公報（特許文献１）には、使用する水量が少なくてすみ，短時間で小エネルギーによって所要の温度とでき，体積が小さく重量が軽く，漏水せず，安全性が高い温度制御床マットを提供することを目的とし、底部フォームスポンジ体と上部覆い体とが貼り合せとなっている床マットの該底部フォームスポンジ体の溝にパイプラインが内装されており、制御ボックスの中に半導体冷熱チップが装着され該チップの両側面に冷用貯水タンクと温熱用貯水タンクとが取り付けられていると共に、両タンクがパイプラインに接続されていて、パイプライン内を冷水及び／又は温水が循環するようにしたことを特徴とする「温度制御床マット」が提案されている。
【０００３】
また、特開２０００−１０６９８１号公報（特許文献２）には、睡眠に用いられる冷暖マットに関するものであり、冷暖マットが冷えすぎたときただちにマットの温度を上昇させ、人体の冷えすぎを防止することを目的とし、素子パネルが吸熱面で循環水を冷却するときに素子パネルの放熱面で発生した熱を熱源としてただちに通水マットの温度を上昇させる側に切替えるマット温度上昇手段を有する構成とし、通水マットが冷えすぎた場合に温度を上昇させて人体の冷えすぎを防止することを特徴とする「冷暖マット」が提案されている。
【０００４】
また、特開平１１−１５２８０７号公報（特許文献３）には、建築物の外壁を構成するパネルに埋設した配水パイプ内に水道水を供給することによりパネルを冷却し、排出された温水の再利用も行うことを目的とし、建築物の外壁を構成するパネルと、パネルに埋設される配水パイプと、配水パイプの一端に接続された給水口と、配水パイプに供給された水を吸引，排出するポンプと、配水パイプの他端に接続された排水口と、排水口からの排水を備蓄する貯水部と、貯水部の水量を監視して、給水口側のコントロールバルブ及びポンプの駆動を制御する制御部とを具え、給水口から配水パイプに供給された水が、パネル内を経由して排水口から貯水部に排出されてパネルが冷却されるとともに、貯水部に排出された水が、貯水利用口を介して温水として利用できることを特徴とする「建築物の防熱構造」が提案されている。
【０００５】
また、特開２００３−３３６８６５号公報（特許文献４）には、外断熱構造を備えた鉄筋コンクリート造の住宅などで冷暖房をする時の欠点を水道水を使って解決することを目的とし、不凍液等液体を通す床暖房用のパイプを下に断熱材を敷かないで敷きモルタルを流してとめ、夏はこのパイプを水道水の入った水槽を通して熱交換して冷やし循環し、冬はこの水槽の水を電気やガスで暖めて貯湯タンクとしここにパイプを通して熱交換して暖めて循環することを特徴とする「水道水の冷たさを利用した建物の床暖房兼用躯体冷房システム」が提案されている。
【先行技術文献】
【特許文献】
【０００６】
【特許文献１】実開平７−３９６１６号公報
【特許文献２】特開２０００−１０６９８１号公報
【特許文献３】特開平１１−１５２８０７号公報
【特許文献４】特開２００３−３３６８６５号公報
【考案の概要】
【考案が解決しようとする課題】
【０００７】
しかし、上記の公報に開示されている技術は、マットの冷却や建築物の冷却にそれぞれ単独で用いられる技術であり、しかも水道水を２次利用することに着目してマット及び建築物の冷却を統合させた冷却システムを提供するものではない。
そこで、本考案は、水道水を利用したマット冷却機構を独自に考案した上で、マット冷却機構に１次利用した水道水を建築物冷却機構に２次利用することができる水道水を利用した冷却システムを提供することを目的とする。
【課題を解決するための手段】
【０００８】
上記の課題を解決するために、請求項１に記載の考案は、マット内部に内装した水循環パイプに水道水を通水して水温と気温との温度差を利用してマットを冷却するマット冷却機構を備えた水道水を利用した冷却システムであって、前記水循環パイプ内を循環する水道水の流量を調整する流量調整バルブを備え、前記水循環パイプ内を循環した水道水を２次利用する配水パイプに供給することを特徴とする。
【０００９】
また、請求項２に記載の考案は、マット内部に内装した水循環パイプに水道水を通水して水温と気温との温度差を利用してマットを冷却するマット冷却機構を備えた水道水を利用した冷却システムであって、前記水循環パイプと冷却用水道水の供給パイプ又は暖房用温水の供給パイプとの接続を切り替える切替スイッチＡと、前記水循環パイプ内を循環する水道水又は温水の流量を調整する流量調整バルブと、前記切替スイッチＡに連動して作動する連動スイッチとを備え、前記連動スイッチは、前記切替スイッチＡにより冷却用水道水の供給パイプに接続された時に前記水循環パイプ内を循環した水道水を２次利用する配水パイプに供給する、又は前記切替スイッチＡにより暖房用温水の供給パイプに接続された時に前記水循環パイプ内を循環した温水を温水暖房用熱源器に戻す配水パイプに排水することを特徴とする。
【００１０】
また、請求項３に記載の考案は、請求項１又は請求項２に記載の前記マットは、ベッドマット・床マット等のマットレスタイプの他にソファー・椅子に使用できる座布団タイプのものが含まれることを特徴とする。
【００１１】
また、請求項４に記載の考案は、請求項１乃至請求項３に記載の前記水循環パイプ内を循環した水道水を２次利用する配水パイプは、水の気化熱を利用して建築物を冷却する建築物冷却機構に接続されることを特徴とする。
【００１２】
また、請求項５に記載の考案は、請求項４に記載の前記水循環パイプ内を循環した水道水を夜間又は降雨の際には風呂又は洗濯に利用できるように配水パイプの接続を切り替えられる切替スイッチＢを備えたことを特徴とする。
【００１３】
また、請求項６に記載の考案は、請求項５に記載の水道水を利用した冷却システムにおいて、風呂又は洗濯に利用した水を吸引して排出するポンプと切替スイッチＣとを備え、前記切替スイッチＣを経由して前記ポンプにより排出された水を前記建築物冷却機構に供給することを特徴とする。
【００１４】
また、請求項７に記載の考案は、請求項４乃至請求項６に記載の前記建築物冷却機構は、屋根又は屋上に設置される潅水ホース、スプリンクラーからなる散水装置であることを特徴とする。
【考案の効果】
【００１５】
以上のように、本考案によれば、マット内部に内装した水循環パイプに水道水を通水してマットを冷却するので、水温と気温との温度差を利用して清涼感が得られ、しかも環境性や経済性にも優れている。
また、マット内部に内装した水循環パイプと冷却用水道水の供給パイプ又は暖房用温水の供給パイプとの接続を切り替えることができるので、夏季の冷却と冬季の暖房の両方に使用することが可能になる。
さらに、水循環パイプ内を循環した水道水を２次利用する配水パイプに供給することができるので、建築物の冷却と風呂・洗濯などに水道水を再利用することが可能になり、マット及び建築物の冷却を統合させた冷却システムを提供することができる。
【図面の簡単な説明】
【００１６】
【図１】マット冷却機構の第１実施例を示す構成説明図である。
【図２】マット冷却機構の第２実施例を示す構成説明図である。
【図３】マット冷却機構と建築物冷却機構を統合させた冷却システムの第３実施例を示す構成説明図である。
【図４】マット冷却機構と建築物冷却機構を統合させた冷却システムの第４実施例を示す構成説明図である。
【考案を実施するための形態】
【００１７】
以下、本考案の実施の形態について図面を参酌しながら説明する。
なお、本考案にかかる水道水を利用した冷却システムは、以下の実施例に限定されるものではなく、実施の具体的な形態については使用状況によって適宜変更することができる。
【００１８】
（第１実施例）
図１は、マット冷却機構の第１実施例を示す構成説明図である。
図１に示すように、ベッドマット・床マット等のマットレスタイプのマット２０の内部には、水循環パイプ２１が内装されている。
水循環パイプ２１は、家庭用の水道水が供給され循環するように構成されており、水循環パイプ２１の一端部は、水道水の流量を調整する手動式の水栓バルブ等の流量調整バルブ２２を介在させて給水口１０（家庭の水道水の蛇口等）に接続されている。水循環パイプ２１の他端部は、水循環パイプ２１内を循環した水道水を２次利用する配水パイプ１００に接続されている（水道水の２次利用の形態については後述する）。
このような構成からなるマット冷却機構によれば、夏季の冷却ベッドマットとして利用する際は、マット２０の内部の水循環パイプ２１に時間当たり３００ｍｌ程度の水道水を通水するだけで清涼感が得られ冷却効果を発揮する。
なお、水循環パイプ２１を内装するマット２０の種類については、上述したベッドマット・床マット等のマットレスタイプの他に、ソファー・椅子に使用できる座布団タイプのものが含まれる。
【００１９】
（第２実施例）
図２は、マット冷却機構の第２実施例を示す構成説明図である。
第２実施例は、第１実施例のマット冷却機構を夏季の冷却と冬季の暖房の両方に使用するものである。そのため、水循環パイプ２１と冷却用水道水の供給パイプ１１又は暖房用温水の供給パイプ３１との接続を切り替える切替スイッチ４０と、切替スイッチ４０に連動して作動する連動スイッチ４１とを備えている。
連動スイッチ４１は、切替スイッチ４０により冷却用水道水の供給パイプ１１に接続された時に第１実施例と同様に水循環パイプ２１内を循環した水道水を２次利用する配水パイプ１００に供給するようになっている。一方、切替スイッチ４０により暖房用温水の供給パイプ３１に接続された時には水循環パイプ２１内を循環した温水を温水暖房用熱源器３０に戻す配水パイプ３２に排水するようになっている。
このような構成からなるマット冷却機構によれば、マット２０の内部に内装した水循環パイプ２１と冷却用水道水の供給パイプ１１又は暖房用温水の供給パイプ３１との接続を切り替えることができるので、夏季の冷却と冬季の暖房の両方に使用することが可能になる。
なお、夏季の冷却ベッドマットとして利用する際は、第１実施例と同様に水循環パイプ２１内を循環した水道水を２次利用する配水パイプ１００に供給される（水道水の２次利用の形態については後述する）。また、水循環パイプ２１を内装するマット２０の種類については、第１実施例と同様にベッドマット・床マット等のマットレスタイプの他に、ソファー・椅子に使用できる座布団タイプのものが含まれる。
【００２０】
（第３実施例）
図３は、マット冷却機構と建築物冷却機構を統合させた冷却システムの第３実施例を示す構成説明図である。
第３実施例は、第２実施例のマット冷却機構（夏季の冷却と冬季の暖房の両方に使用）と建築物冷却機構を統合させた冷却システムの一例である。
建築物冷却機構は、図１に示すように屋根に設置される潅水ホース１１０からなる散水装置により構成される。なお、散水装置については、水平面構造の屋上の場合は、スプリンクラー等を採用することが好ましい。
潅水ホース１１０は、昼間で晴天の際に水循環パイプ２１内を循環した水道水を２次利用するために設置した配水パイプ１００を介して接続される。これにより、水の気化熱を利用して建築物を冷却することができる。一方、夜間又は降雨の際には水循環パイプ２１内を循環した水道水を風呂又は洗濯に利用できるように切替スイッチ５０により接続を切り替える。例えば、バスタブ７０に水道水を貯水して風呂に使用する。ここで、切替スイッチ５０は、降雨センサー又は／及び光量センサーにより自動的に接続が切り替わる制御システムを適宜採用することができる。
このような構成からなるマット冷却機構と建築物冷却機構を統合させた冷却システムによれば、水循環パイプ２１内を循環した水道水を配水パイプ１００に供給して潅水ホース１１０から散水することができ、さらに切替スイッチ５０により建築物の冷却又は風呂・洗濯などに水道水を再利用することが可能になる。
【００２１】
（第４実施例）
図４は、マット冷却機構と建築物冷却機構を統合させた冷却システムの第４実施例を示す構成説明図である。
第４実施例は、第３実施例のマット冷却機構と建築物冷却機構を統合させた冷却システムにおいて、風呂などに利用した水を建築物の冷却に再利用するものである。
図４に示すように、図３に示す第３実施例の構成にポンプ８０と切替スイッチ９０を追加した構成からなる。バスタブ７０に貯めた水は、ポンプ８０により吸引し切替スイッチＣを経由して配水パイプ１００に排出される。配水パイプ１００は、第３実施例と同様に潅水ホース１１０に接続されている。
このような構成からなるマット冷却機構と建築物冷却機構を統合させた冷却システムによれば、水循環パイプ２１内を循環した水道水を配水パイプ１００に供給して潅水ホース１１０から散水することができ、さらに切替スイッチ５０により建築物の冷却又は風呂・洗濯などに水道水を再利用することが可能になり、また風呂などに使用した水を建築物の冷却に再利用することが可能になる。
【符号の説明】
【００２２】
１０  給水口
１１  供給パイプ
２０  マット
２１  水循環パイプ
２２  流量調整バルブ
３０  温水暖房用熱源器
３１  供給パイプ
３２  配水パイプ
４０  切替スイッチ
４１  連動スイッチ
５０  切替スイッチ
６０  給水口
７０  バスタブ
８０  ポンプ
９０  切替スイッチ
１００  配水パイプ
１１０  潅水ホース
【図１】
0003160642.tif 000003
【図２】
0003160642.tif 000004
【図３】
0003160642.tif 000005
【図４】
0003160642.tif 000006